(57)【要約】【課題】洗濯機の設置性を向上させること。【解決手段】被洗浄物２６を攪拌するパルセータ５を有した洗濯兼脱水槽４と、洗濯兼脱水槽４を内部に回転自在に設置した略円筒形状の水槽３と、パルセータ５および洗濯兼脱水槽４を駆動する駆動手段７と、水槽３および洗濯兼脱水槽４を覆う上部枠体１８と、上部枠体１８の四隅の一部近傍に配置され且つ水槽３の振動を検知する安全スイッチ２４および振動検知レバー２５とを備え、振動検知レバー２５の検知方向が水槽３の略半径方向になるように配置したものであり、水槽３と振動検知レバー２５との距離関係を従来と同じ距離関係にし、水槽３の振動を検知することができる振動検知レバー２５の移動量を確保することが可能であるので、少なくとも本発明と従来の振動検知レバー２５の洗濯機１の前後方向に対する移動量差だけ、洗濯機１本体の前後方向の寸法を短くすることができる。【選択図】図１
2013141554.tif 000002
【特許請求の範囲】
【請求項１】
略直方体形状の本体に、略中央底部に被洗浄物を攪拌するパルセータを有した洗濯兼脱水槽と、前記洗濯兼脱水槽を内部に回転自在に設置した略円筒形状の水槽と、前記パルセータおよび前記洗濯兼脱水槽を駆動する駆動手段と、前記水槽および前記洗濯兼脱水槽を覆う上部枠体と、前記上部枠体の四隅の一部近傍に配置され且つ前記水槽の振動を検知する安全スイッチおよび振動検知レバーとを備え、前記振動検知レバーの検知方向が前記水槽の略半径方向になるように前記安全スイッチおよび前記振動検知レバーを配置した洗濯機。
【請求項２】
前記水槽に洗濯水を供給する給水弁と、前記水槽に供給される水位を検知する圧力センサーと、前記安全スイッチおよび前記給水弁および前記圧力センサーと電気接続されたリード線とを、前記安全スイッチの略近傍に配置した請求項１記載の洗濯機。
【発明の詳細な説明】
【技術分野】
【０００１】
本発明は、設置性を向上させる洗濯機に関するものである。
【背景技術】
【０００２】
従来、この種の洗濯機は図５に示すような構成をしている。以下、その構成について説明する。
【０００３】
図５に示す従来の洗濯機の縦断面図において、洗濯機１は、吊り棒２により水槽３を吊り下げており、水槽３の内部に洗濯兼脱水槽４を脱水時に回転できるように設けている。洗濯兼脱水槽４は、底部にパルセータ５を回転自在に配設し、パルセータ５と一体に下側羽根６を設けている。駆動手段７は、Ｖベルト８、減速機構９および回転軸１０を介してパルセータ５または洗濯兼脱水槽４を駆動する。
【０００４】
リント用循環水路１１および散水ノズル用循環水路１２は、パルセータ５の下側羽根６外周のポンプ室１３から洗濯兼脱水槽４の上部に至るように設け、上部に着脱可能なリントフィルタ１４および散水ノズル１５をそれぞれ設けている。排水弁１６は水槽３内の洗濯水を排水するものであり、給水弁１７は水槽３内に洗濯水を給水するものである。洗濯機１の上部を構成する上部枠体１８に蓋１９を開閉自在に設け、また、その前方に制御手段２０を設けている。洗濯兼脱水槽４の上部には脱水時の振動を低減させるための流体バランサ２１を設け、この流体バランサ２１に柔軟剤自動流出装置２２を設けている。
【０００５】
給水弁１７からの洗濯水が水槽３内の洗濯兼脱水槽４内に確実に給水されるように、給水弁１７に連通する給水口１７ａは、洗濯兼脱水槽４の流体バランサ２１の開口部２１ａの略上方に配置されている。
【０００６】
洗濯兼脱水槽４の底部には、回転軸１０と洗濯兼脱水槽４を連結支持するシャフトフランジ２３を設けている。
【０００７】
安全スイッチ２４は、図６に示すように、上部枠体１８の後方の内部に配置されていて、洗濯兼脱水槽４が脱水行程で時計回りに回転する場合は、洗濯機１を前方から見たときの左側に配置されるものであり、洗濯兼脱水槽４が反時計回りに回転する場合は、洗濯機１を前方から見たときの右側に配置されるものである（図６では、洗濯兼脱水槽４は脱水行程で時計回りに回転する）。また、安全スイッチ２４は、下方に水槽３の異常振動を検知する振動検知レバー２５を備えている。
【０００８】
そして、洗濯兼脱水槽４内の被洗浄物２６の偏りが大きくて、洗濯兼脱水槽４および水槽３が大きく振動して洗濯機１本体に衝突し、洗濯機１が移動したり、転倒したりする前に、水槽３が振動検知レバー２５を押すことにより、振動検知レバー２５を介して安全スイッチ２４が、洗濯兼脱水槽４および水槽３の振動を検知するものである（特許文献１参照）。
【０００９】
また、安全スイッチ２４および振動検知レバー２５は、振動検知レバー２５が洗濯機１の前後方向に動くように配置されている。
【００１０】
圧力センサー２７は、水槽３に供給される水位および水量を検知するものであり、サブホース２８を介して水槽３と接続されている。
【００１１】
給水弁１７、安全スイッチ２４および圧力センサー２７は、リード線２９と電気接続されており、給水弁１７は、リード線２９を介して制御手段２０により動作を制御され、安全スイッチ２４および圧力センサー２７の信号は、リード線２９を介して制御手段２０に伝達されるように構成されている。
【００１２】
なお、給水弁１７、安全スイッチ２４、圧力センサー２７だけでなく、水槽３に取り付けられている駆動手段７もリード線２９を介して制御手段２０と電気接続されている。
【００１３】
上記構成において動作を説明すると、使用者が洗濯したい被洗浄物２６を洗濯兼脱水槽４に洗剤とともに投入し、スタートボタン（図示しない）を押すことで、給水弁１７から所定量の洗濯水が水槽３に供給される。洗濯水が供給されると、Ｖベルト８、減速機構９および回転軸１０を介して駆動手段７により、パルセータ５が所定の回転数で回転して、洗濯兼脱水槽４内の洗濯水および被洗浄物２６を攪拌して、被洗浄物２６から汚れを落とす洗い行程が行われる。
【００１４】
所定時間の洗い行程が終了すると、排水弁１６が動作して水槽３内の洗濯水を排水し、排水が終わると、Ｖベルト８、減速機構９および回転軸１０を介して駆動手段７により、洗濯兼脱水槽４が所定の回転数で回転して、被洗浄物２６および洗濯兼脱水槽４内の洗濯水の残水を分離して排水する脱水行程が行われる。
【００１５】
脱水行程が所定時間行われると、再び給水弁１７から所定量のすすぎ水が水槽３に供給され、パルセータ５が所定の回転数で回転して、洗濯兼脱水槽４内のすすぎ水および被洗浄物２６を攪拌して、被洗浄物２６に残っている洗剤成分を除去するすすぎ行程が行われる。
【００１６】
所定時間のすすぎ行程が終了すると、排水弁１６が動作して水槽３内のすすぎ水を排水し、排水が終わると、駆動手段７により洗濯兼脱水槽４が所定の回転数で回転して、被洗浄物２６および洗濯兼脱水槽４内の洗濯水の残水を分離して排水する脱水行程が行われる。このすすぎ−脱水行程は複数回行われる。
【００１７】
所定回数のすすぎ行程が終了すると、最後の脱水行程、すなわち最終脱水行程が行われて運転が終了する。
【００１８】
そして、図７に示すように、それぞれの行程で、水槽３が大きく振動して洗濯機１本体に衝突し、洗濯機１が移動したり、転倒したりする前に、水槽３が振動検知レバー２５を所定の移動量ｈ３以上押すので、振動検知レバー２５を介して安全スイッチ２４が、洗濯兼脱水槽４および水槽３の揺れを検知し、運転を停止するものである。
【００１９】
なお、洗濯兼脱水槽４内の被洗浄物２６の偏りを修正して、洗濯兼脱水槽４および水槽３が大きく振動しないようにすれば、運転を停止した行程から、運転を再開することができる。
【先行技術文献】
【特許文献】
【００２０】
【特許文献１】特許第４３０１２７２号公報
【発明の概要】
【発明が解決しようとする課題】
【００２１】
しかしながら、図５〜図７に示されるような従来の洗濯機の構成では、以下のような課題がある。
【００２２】
近年の洗濯機に求められるお客様のニーズとして、洗濯機の外形寸法（高さ方向も含む）を小さく、被洗浄物２６を収納できる容量は多くしてほしい、ということがある。
【００２３】
洗濯機の外形寸法を小さくするには、図６に示す洗濯機１本体と水槽３との隙間ｈ１を狭くする方法があるが、隙間ｈ１を狭くすると、運転中に、洗濯兼脱水槽４および水槽３の振動の幅に余裕がなくなってしまうので、洗濯兼脱水槽４および水槽３の少しの振動で、水槽３と洗濯機１が衝突してしまって、洗濯機１が移動してしまうという課題が生じてしまう。
【００２４】
この課題を解決するために、安全スイッチ２４が水槽３の少しの振動も検知するようにしてしまうと、従来では安全スイッチ２４が検知しない洗濯兼脱水槽４および水槽３の正常の振動に対しても、安全スイッチ２４が検知して運転を停止してしまうことなり、従来よりも運転が停止してしまう可能性が高くなって、いつまでも運転が終了しないという新たな課題が発生しまう。
【００２５】
一方、安全スイッチ２４が配置される洗濯機１の後方の、洗濯機１と水槽３の隙間ｈ２は、他の隙間ｈ１よりも大きくなっている。その理由は、図７に示すように、水槽３が振動検知レバー２５を所定の移動量ｈ３以上動かすことで、水槽３の振動を検知するようにしているからであり、ｈ３よりも少ない移動で水槽３の振動を検知するようにすると、上記と同じで、従来では安全スイッチ２４が検知しない洗濯兼脱水槽４および水槽３の正常の振動に対しても、安全スイッチ２４が検知して運転を停止してしまうことなり、従来よりも運転が停止してしまう可能性が高くなって、いつまでも運転が終了しないという問題が起きてしまうからである。
【００２６】
そのため、従来の構成では、安全スイッチ２４が配置される洗濯機１の後方の、洗濯機１と水槽３の隙間ｈ２が必要であり、洗濯機１の前後方向の寸法を小さくすることができず、洗濯機１の外形寸法を小さくすることができないという課題を有してしまう。
【００２７】
本発明は上記従来の課題を解決するもので、洗濯機の外形寸法を小さくして、洗濯機の設置性を向上させることを目的としている。
【課題を解決するための手段】
【００２８】
前記従来の課題を解決するため、本発明の洗濯機は、略直方体形状の本体に、略中央底部に被洗浄物を攪拌するパルセータを有した洗濯兼脱水槽と、洗濯兼脱水槽を内部に回転自在に設置した略円筒形状の水槽と、パルセータおよび洗濯兼脱水槽を駆動する駆動手段と、水槽および洗濯兼脱水槽を覆う上部枠体と、上部枠体の四隅の一部近傍に配置され且つ水槽の振動を検知する安全スイッチおよび振動検知レバーとを備え、振動検知レバーの検知方向が水槽の略半径方向になるように安全スイッチおよび振動検知レバーを配置したものである。
【００２９】
これにより、洗濯機本体は略直方体形状で、水槽は略円筒形状のため、水槽と振動検知センサーとの距離関係を従来と同じ距離関係にし、水槽の振動を検知することができる振動検知センサーの移動量を確保することが可能であるので、少なくとも本発明と従来の振動検知センサーの洗濯機の前後方向に対する移動量差だけ、洗濯機本体の前後方向の寸法を短くすることができる。
【発明の効果】
【００３０】
本発明の洗濯機は、洗濯機本体の前後方向の寸法を短くすることができ、洗濯機の外形寸法を小さくすることができるので、洗濯機の設置性を向上させることができる。
【図面の簡単な説明】
【００３１】
【図１】本発明の実施の形態１における洗濯機の前後方向の縦断面図
【図２】同洗濯機の上方から見た場合の断面図
【図３】（ａ）同洗濯機の安全スイッチおよび振動検知センサー近傍の上方から見た部分断面図（ｂ）従来の構成の洗濯機の安全スイッチおよび振動検知センサー近傍の上方から見た部分断面図
【図４】従来の構成の洗濯機の風呂水給水ポンプを配置した場合の上方から見た部分断面図
【図５】従来の洗濯機の前後方向の縦断面図
【図６】同洗濯機の安全スイッチおよび振動検知レバーが配置される場所および洗濯機本体と水槽との隙間を示す図
【図７】同洗濯機の振動検知レバーの動作を示す断面図
【発明を実施するための形態】
【００３２】
第１の発明は、略直方体形状の本体に、略中央底部に被洗浄物を攪拌するパルセータを有した洗濯兼脱水槽と、洗濯兼脱水槽を内部に回転自在に設置した略円筒形状の水槽と、パルセータおよび洗濯兼脱水槽を駆動する駆動手段と、水槽および洗濯兼脱水槽を覆う上部枠体と、上部枠体の四隅の一部近傍に配置され且つ水槽の振動を検知する安全スイッチおよび振動検知レバーとを備え、振動検知レバーの検知方向が水槽の略半径方向になるように安全スイッチおよび振動検知レバーを配置したものであり、洗濯機本体は略直方体形状で、水槽は略円筒形状のため、水槽と振動検知センサーとの距離関係を従来と同じ距離関係にし、水槽の振動を検知することができる振動検知センサーの移動量を確保することが可能であるので、少なくとも本発明と従来の振動検知センサーの洗濯機の前後方向に対する移動量差だけ、洗濯機本体の前後方向の寸法を短くすることができる。
【００３３】
それゆえ、洗濯機の外形寸法を小さくすることができるので、洗濯機の設置性を向上させることができる。
【００３４】
第２の発明は、特に、第１の発明の安全スイッチの略近傍に、前記水槽に洗濯水を供給する給水弁と、前記水槽に供給される水位を検知する圧力センサーと、前記安全スイッチおよび前記給水弁および前記圧力センサーと電気接続されたリード線とを配置したものであり、上部枠体に搭載する電装関連の部品を、例えば、上部枠体の後方の右側半分に配置することができるので、リード線の長さを短縮することができ、組立性を向上させることができる。
【００３５】
以上より、上部枠体に搭載する電装関連の部品を上部枠体の後方の右側半分に配置することができることにより、リード線の長さを短縮することができ、組立性を向上させることができる。
【００３６】
以下、本発明の実施の形態について、図面を参照しながら説明する。なお、従来例と同じ構成のものは同一符号を付して説明を省略する。
【００３７】
（実施の形態１）
図１および図２に示す洗濯機において、略直方体形状の洗濯機１に吊り棒２により略円筒形状の水槽３が吊り下げられており、水槽３の内部に洗濯兼脱水槽４が脱水回転可能に設けられている。洗濯兼脱水槽４は、底部にパルセータ５が回転自在に配設され、パルセータ５と一体に下側羽根６が設けられている。駆動手段７は、Ｖベルト８および減速機構９および回転軸１０を介してパルセータ５または洗濯兼脱水槽４を駆動する。
【００３８】
リント用循環水路１１および散水ノズル用循環水路１２は、パルセータ５の下側羽根６外周のポンプ室１３から洗濯兼脱水槽４の上部に至るように設けられ、上部に着脱可能なリントフィルタ１４および散水ノズル１５がそれぞれ設けられている。排水弁１６は水槽３内の洗濯水を排水するものであり、給水弁１７は水槽３内に洗濯水を給水するものである。洗濯機１の上部を構成する上部枠体１８に蓋１９が開閉自在に設けられ、また、その前方に制御手段２０が設けられている。洗濯兼脱水槽４の上部には脱水時の振動を低減させるための流体バランサ２１が設けられ、この流体バランサ２１に柔軟剤自動流出装置２２が設けられている。
【００３９】
給水弁１７からの水道水が水槽３内の洗濯兼脱水槽４内に確実に給水されるように、給水弁１７に連通する給水口１７ａは、洗濯兼脱水槽４の流体バランサ２１の開口部２１ａの略上方に配置されている。
【００４０】
洗濯兼脱水槽４の底部には、回転軸１０と洗濯兼脱水槽４を連結支持するシャフトフランジ２３が設けられている。
【００４１】
下方に水槽３の異常振動を検知する振動検知レバー２５を備えている安全スイッチ２４は、図２に示すように、上部枠体１８の後方の内部に配置されていて、振動検知レバー２５の検知方向が、洗濯兼脱水槽４および水槽３の略半径方向になるように配置されている。
【００４２】
なお、本実施例では、洗濯兼脱水槽４は時計回りに回転し、安全スイッチ２４および振動検知レバー２５は洗濯機１を前方から見て右側に配置される構成で説明をするが、安全スイッチ２４および振動検知レバー２５が水槽３の所定の振動を検知できるのであれば、洗濯兼脱水槽４が反時計回りでも、また、安全スイッチ２４および振動検知レバー２５が洗濯機１を前方から見て左側に配置されても、また、上部枠体１８の前方の内部に配置される構成であってもよい。
【００４３】
また、運転中に、洗濯兼脱水槽４内の被洗浄物２６の偏りが大きくて、洗濯兼脱水槽４および水槽３が大きく振動して洗濯機１本体に衝突し、洗濯機１が移動したり転倒したりする前に、水槽３が振動検知レバー２５を押すことにより、振動検知レバー２５を介して安全スイッチ２４が、洗濯兼脱水槽４および水槽３の振動を検知するものである。
【００４４】
水槽３に供給される水位および水量を検知する圧力センサー２７は、サブホース２８を介して水槽３と接続されている。
【００４５】
給水弁１７、安全スイッチ２４および圧力センサー２７は、リード線２９と電気接続されており、給水弁１７は、リード線２９を介して制御手段２０により動作を制御され、安全スイッチ２４および圧力センサー２７の信号は、リード線２９を介して制御手段２０に伝達されるように構成されている。
【００４６】
また、図２に示すように、給水弁１７、圧力センサー２７およびリード線２９は、安全スイッチ２４の略近傍に配置されている。
【００４７】
なお、給水弁１７、安全スイッチ２４、圧力センサー２７だけでなく、水槽３に取り付けられている駆動手段７もリード線２９を介して制御手段２０と電気接続されている。
【００４８】
上記構成について動作を説明する。使用者が蓋１９を開いて衣類などの被洗浄物２６を洗濯兼脱水槽４に投入し、スタートボタン（図示しない）を押すと、駆動手段７によりパルセータ５が正逆回転して被洗浄物２６の量を検知する。そして、操作部（図示しない）に必要な洗剤量を表示するので、使用者は洗剤を所定の位置に投入し（洗濯兼脱水槽４内でもよい）、蓋１９を閉じることで、給水弁１７を介して給水口１７ａから洗濯兼脱水槽４および水槽３内に所定量の洗濯水が供給される。所定量の洗濯水が供給されたかどうかは、圧力センサー２７が水位を検知することで判断することができる。
【００４９】
所定量の洗濯水が供給されると、Ｖベルト８、減速機構９および回転軸１０を介して駆動手段７により、パルセータ５が正逆回転して、洗濯兼脱水槽４内の洗濯水および被洗浄物２６を攪拌して、被洗浄物２６から汚れを落とす洗い行程が行われる。
【００５０】
所定時間の洗い行程が終了すると、排水弁１６により水槽３内の洗濯水が洗濯機１外へ排水される。そして、洗濯水が排水されると、Ｖベルト８、減速機構９および回転軸１０を介して駆動手段７により、洗濯兼脱水槽４が所定の回転数で回転して（例えば３００ｒ／ｍｉｎ）、被洗浄物２６および洗濯兼脱水槽４内の洗濯水の残水を分離して排水する第一の脱水行程が行われる。
【００５１】
第一の脱水行程が終了すると、再び給水弁１７から所定量のすすぎ水が水槽３に供給され、パルセータ５が正逆回転して、洗濯兼脱水槽４内のすすぎ水および被洗浄物２６を攪拌して、被洗浄物２６に残っている洗剤成分を除去する第一のすすぎ行程が行われる。
【００５２】
第一のすすぎ行程が終了すると、排水弁１６が動作して水槽３内のすすぎ水が洗濯機１外へ排水され、第二の脱水行程（例えば洗濯兼脱水槽４の回転数：３００ｒ／ｍｉｎで洗濯兼脱水槽４が高速回転する）が行われる。さらに、すすぎ水が供給されて最終すすぎ行程が行われ、その後、水槽３内のすすぎ水が排水され、第三の脱水行程（例えば、洗濯兼脱水槽４の回転数：８００ｒ／ｍｉｎで洗濯兼脱水槽４が高速回転する）が行われる。
【００５３】
第三の脱水行程が行われると、運転が終了する。なお、このすすぎ−脱水行程は、運転コースにより回数が変更になる場合もあるし、被洗浄物２６の汚れ度合いにより、使用者が回数を変更したりすることも可能である。
【００５４】
そして、それぞれの行程で、水槽３が大きく振動して洗濯機１本体に衝突し、洗濯機１が移動したり、転倒したりする前に、水槽３が振動検知レバー２５を押すので、振動検知レバー２５を介して安全スイッチ２４が、洗濯兼脱水槽４および水槽３の振動を検知し、運転を停止するものである。
【００５５】
なお、洗濯兼脱水槽４内の被洗浄物２６の偏りを修正して、洗濯兼脱水槽４および水槽３が大きく振動しないようにすれば、運転を停止した行程から、運転を再開することができる。
【００５６】
このように構成された本実施例によれば、図１〜図３に示すように、安全スイッチ２４および振動検知レバー２５を上部枠体１８の四隅の一部近傍に配置し、振動検知レバー２５の検知方向を、水槽３の略半径方向にすることにより、洗濯機１本体は略直方体形状であり、水槽３は略円筒形状のため、図３（ａ）および図３（ｂ）に示すように、水槽３と振動検知レバー２５との距離関係Ｌを従来と同じ距離関係Ｌにし、水槽３の振動を検知することができる振動検知レバー２５の移動量ｈ３を確保することが可能であるので、少なくとも本発明と従来の振動検知レバー２５の洗濯機１の前後方向に対する移動量差△ｈだけ、洗濯機１本体の前後方向の寸法を短くすることができる。
【００５７】
それゆえ、洗濯機１の奥行寸法を小さくすることができるので、洗濯機１の設置性を向上させることができる。
【００５８】
また、図２に示すように、給水弁１７、圧力センサー２７およびリード線２９を、安全スイッチ２４の略近傍に配置することにより、上部枠体１８に搭載する電装関連の部品を、例えば、上部枠体１８の後方の右側半分に配置することができるので、リード線２９の長さを短縮することができ、組立性を向上させることができる。
【００５９】
また、風呂水給水ポンプ３０を搭載する場合は、従来の構成では、図４に示すように、給水弁１７、安全スイッチ２４、圧力センサー２７およびリード線２９のどこかの間に配置しなければならず、風呂水給水ポンプ３０と、給水弁１７、安全スイッチ２４、圧力センサー２７およびリード線２９とで発生するノイズのために、誤動作等が生じてしまったり、ノイズ対策のためのフェライトコア３１を多く設けなければならなかったり等の課題が発生するが、図２に示すように、給水弁１７、圧力センサー２７およびリード線２９を、上部枠体１８の後方の右側半分に配置することにより、上部枠体１８の後方の左側半分に風呂水給水ポンプ３０を配置することができ、風呂水給水ポンプ３０と、給水弁１７、安全スイッチ２４、圧力センサー２７およびリード線２９とを離して配置することができるので、風呂水給水ポンプ３０と、給水弁１７、安全スイッチ２４、圧力センサー２７およびリード線２９とで発生するノイズの影響を低減することができ、ノイズを低減するためのフェライトコア３１の数を削減することができる。
【００６０】
それゆえ、リード線２９にフェライトコア３１を多く設ける必要が無いので、リード線２９を簡単な構成にすることができる。
【００６１】
以上より、上部枠体１８に搭載する電装関連の部品を上部枠体１８の後方の右側半分に配置することができることにより、リード線２９の長さを短縮することができ、組立性を向上させることができるとともに、風呂水給水ポンプ３０を搭載する場合は、風呂水給水ポンプ３０と、その他の電装関連の部品とを分離して配置することができるので、ノイズ等の影響による誤動作の低減や、ノイズ低減のためのフェライトコア３１の数量を削減することができる。
【産業上の利用可能性】
【００６２】
以上のように、本発明にかかる洗濯機は、洗濯機の外形を小さくして洗濯機の設置性を向上させることができるので、家庭用の洗濯機だけでなく、業務用の洗濯機の用途にも適用できる。
【符号の説明】
【００６３】
１    洗濯機
３    水槽
４    洗濯兼脱水槽
５    パルセータ
７    駆動手段
１７  給水弁
２４  安全スイッチ
２５  振動検知レバー
２６  被洗浄物
２７  圧力センサー
２９  リード線
【図１】
2013141554.tif 000003
【図２】
2013141554.tif 000004
【図３】
2013141554.tif 000005
【図４】
2013141554.tif 000006
【図５】
2013141554.tif 000007
【図６】
2013141554.tif 000008
【図７】
2013141554.tif 000009